(57)【要約】      （修正有）【課題】簡便にハウス内搬送装置を構築することができるようにしたレールパイプ吊具を提供する。【解決手段】ビニルハウスの天井部から吊下されたレールパイプ２と、このレールパイプ２に沿って移動自在に吊下された収容器３と、作物などの被搬送物を収容器３に載せて搬送するハウス内搬送装置Ａに用いられるレールパイプ吊具４により構成する。さらに、少なくとも１つの曲げ部を有する折り返し形状に形成された吊具本体４１と、この吊具本体４１の下部先端に取付けられ、レールパイプ２を抱持可能とした抱持体４２とを備える構成とする。したがって、レールパイプ２の配設が容易となるため、簡単かつ低コストでハウス内搬送装置Ａを構築することができるようになる。【選択図】図２
0003163113.tif 000002
【実用新案登録請求の範囲】
【請求項１】
ビニルハウスの天井部から吊下されたレールパイプと、このレールパイプに沿って移動自在に吊下された収容器とを具備し、作物などの被搬送物を前記収容器に載せて搬送するハウス内搬送装置に用いられるレールパイプ吊具であって、
少なくとも１つの曲げ部を有する折り返し形状に形成された吊具本体と、
この吊具本体の下部先端に取付けられ、前記レールパイプを抱持可能とした抱持体と、
を備えることを特徴とするレールパイプ吊具。
【請求項２】
前記吊具本体は、
前記抱持体を連結するために前記下部先端に平板状に形成された水平面部と、
前記ビニルハウスを構築するアーチパイプに取付けるクランプ材を連結するために、上部先端に平板状に形成された垂直面部とを有することを特徴とする請求項１記載のレールパイプ吊具。
【請求項３】
前記抱持体は、
前記レールパイプの周面の一部を上方に露出した状態で抱持可能とした断面視湾曲形状に形成されていることを特徴とする請求項１又は２に記載のレールパイプ吊具。
【考案の詳細な説明】
【技術分野】
【０００１】
この考案は、ハウス内搬送装置に用いられるレールパイプ吊具に関し、より詳しくは、ビニルハウス内に設置したレール材に沿って、収穫物などを収容する収容器を移動自在に取付けたハウス内搬送装置を設置する際に、レール材となるパイプをビニルハウスの天井部から吊支するレールパイプ吊具に関する。
【背景技術】
【０００２】
従来、農業用の温室（以下、ビニルハウスということもある）内に、例えば、収穫した作物を載せて搬送したり、必要な肥料やその他の器具などを搬送したりするために、簡易な搬送装置を設ける場合がある。
【０００３】
かかる搬送装置の一例として、回転軸が農業用温室の天井部位に設けた梁材の上に転動可能に、かつ棟方向に長く配置され、同回転軸の端部に回転伝達装置が設けられ、この回転伝達装置により回転軸を温室の間口方向へ転がして位置の変更が可能とされ、回転軸と同方向に長いレール部材が、回転軸の転がりを許容する構造の複数の吊り下げ部材によってほぼ水平に回転軸から吊り支持され、同レール部材を走行するトロリーが設置された構成のものがある。かかる構成により、トロリーから吊り下げられたコンテナ等を温室の棟方向及び間口方向へ搬送することができる（例えば、特許文献１を参照。）。
【先行技術文献】
【特許文献】
【０００４】
【特許文献１】特開２００４−０９７１６６号公報
【考案の開示】
【考案が解決しようとする課題】
【０００５】
特許文献１に開示された搬送装置は、確かに、間口方向へもコンテナ等を搬送することができるが、棟方向への搬送ができさえすればよい場合も多い。その場合、回転軸ではなくレール材を梁材上に連結固定して配置しなければならない。
【０００６】
しかし、そのような搬送装置を実現するために、特許文献１のような構成を適用しようとすると、レール材を梁材に対してしっかりと連結固定するための適当な器具が必要となるが、現状ではそのような器具は存在しない。
【０００７】
また、中・小規模の温室などでは梁材を備えない構造も多く、その場合はレール材を配置するためにわざわざ梁材を後から設置しなければならなくなる。しかし、長尺の梁材を棟方向に所定本数設置することは容易ではない。農業従事者からは、小型大型のビニルハウスを問わず、より簡便にレールを配設できる構造が望まれている。
【０００８】
本考案は、上述した課題を解決して、より簡便にハウス内搬送装置を構築することができるようにしたレールパイプ吊具を提供することを目的としている。
【課題を解決するための手段】
【０００９】
（１）本考案では、ビニルハウスの天井部から吊下されたレールパイプと、このレールパイプに沿って移動自在に吊下された収容器とを具備し、作物などの被搬送物を前記収容器に載せて搬送するハウス内搬送装置に用いられるレールパイプ吊具であって、少なくとも１つの曲げ部を有する折り返し形状に形成された吊具本体と、この吊具本体の下部先端に取付けられ、前記レールパイプを抱持可能とした抱持体と、を備えることとした。
【００１０】
（２）本考案は、上記（１）のレールパイプ吊具において、前記吊具本体は、前記抱持体を連結するために前記下部先端に平板状に形成された水平面部と、前記ビニルハウスを構築するアーチパイプに取付けるクランプ材を連結するために、上部先端に平板状に形成された垂直面部とを有することを特徴とする。
【００１１】
（３）本考案は、上記（１）又は（２）のレールパイプ吊具において、前記抱持体は、前記レールパイプの周面の一部を上方に露出した状態で抱持可能とした断面視湾曲形状に形成されていることを特徴とする。
【考案の効果】
【００１２】
本考案によれば、ビニルハウス内において簡単かつ低コストでハウス内搬送装置を構築することができるようになり、ビニルハウス内の作業負荷の軽減化を図ることができるとともに、作物の生産効率を高めることが可能となる。
【図面の簡単な説明】
【００１３】
【図１】本実施形態に係るレールパイプ吊具を具備するハウス用搬送装置の説明図である。
【図２】同ハウス用搬送装置の斜視図である。
【図３】同正面図である。
【図４】同ハウス用搬送装置の使用状態を示す側面視による説明図である。
【図５】同ハウス用搬送装置の使用状態を示す正面視による説明図である。
【図６】変形例に係るレールパイプ吊具の説明図である。
【図７】他の実施形態に係るハウス用搬送装置の説明図である。
【考案を実施するための形態】
【００１４】
以下、図面を参照しながら本実施形態に係るハウス内搬送装置について説明する。
【００１５】
（ハウス内搬送装置の概要）
ハウス内搬送装置Ａは、図１に示すように、骨組材に沿って合成樹脂フィルムからなるシート材１０（図４及び図５を参照）を張設して構築した正面視略蒲鉾状のビニルハウス１内に配設されている。なお、図１においてはシート材１０を省略してある。
【００１６】
ビニルハウス１は、アーチパイプ１１や横パイプ１２やその他図示しない補強材パイプなどからなる所定の骨組材が組み合わせられた骨組構造体により構築されている。すなわち、屋根及び側壁を連続形成する複数のアーチパイプ１１を、所定間隔を隔ててハウス長手方向（棟方向）に略平行状態に配設するとともに、これらと複数の長手状の横パイプ１２とを連結固定して構築される。
【００１７】
かかるビニルハウス１内に配設されるハウス内搬送装置Ａは、ビニルハウス１の天井部分から吊下されたレールパイプ２と、このレールパイプ２に沿って移動自在に吊下された収容器３とを具備し、作物などの被搬送物（図示せず）を収容器３に載せて搬送することができる。なお、レールパイプ２は、適宜継手などを介して連結されて延長可能であり、ビニルハウス１の大きさに構成されている。
【００１８】
このように、ハウス内搬送装置Ａを設置して、これを使用することにより、ビニルハウス１内における収穫作業などの作業負荷を軽減することができるようになる。
【００１９】
かかるハウス内搬送装置Ａにおいて、本実施形態では、レールパイプ吊具４を備えていることに特徴がある。このレールパイプ吊具４を用いることにより、ビニルハウス１内において、レールパイプ２を所望する個所に簡単に懸架することが可能となり、ハウス内搬送装置Ａを簡単かつ低コストで構築することができるようになるとともに、ひいては作物の生産効率を高めることが可能となる。
【００２０】
（ハウス内搬送装置の具体的な構成）
【００２１】
図２及び図３に示すように、レールパイプ吊具４は、少なくとも１つの曲げ部を有する折り返し形状に形成された吊具本体４１と、この吊具本体４１の下部先端に取付けられ、レールパイプ２を抱持可能とした抱持体４２とを備えている。なお、ここでは、吊具本体４１及び抱持体４２はいずれも金属製としているが、十分な強度を有するものであればいずれも、あるいは一方を合成樹脂製としても構わない。
【００２２】
本実施形態に係る吊具本体４１は、２つの略直角の曲げ部を有する略コ字状に形成されており、抱持体４２を連結するために、下部先端に平板状に形成された水平面部４３を形成している。一方、ビニルハウス１を構築するアーチパイプ１１に取付けるクランプ材５をボルト５３で連結するために、上部先端には平板状に形成された垂直面部４４を形成している。
【００２３】
そして、水平面部４３及び垂直面部４４には、それぞれ同一鉛直線上に位置するようにボルト挿通孔を形成している。
【００２４】
クランプ材５は、丸パイプなどに取付可能とした周知構造のもので、パイプを抱持可能な円弧状に形成したクランプ部５１の左右先端に突き合わせ自在の連結片５２，５２を一体的に連接して形成したもので、連結片５２，５２にはボルト挿通孔が形成されている。
【００２５】
抱持体４２は、レールパイプ２の周面の一部を上方に露出した状態で抱持可能とした断面視湾曲形状に形成されている。すなわち、少なくともレールパイプ２よりも大径のパイプを適宜長さに切断し、周面を軸方向に所定幅で切欠してパイプ挿通部４２ａを形成している。
【００２６】
そして、かかる抱持体４２を、図示するように、連結ボルト６により水平面部４３に連結している。
【００２７】
パイプ挿通部４２ａが形成された抱持体４２は、降伏点までは弾性を有しているため、レールパイプ２をパイプ挿通部４２ａの上方から強制的に押し込むことができる。押し込まれたレールパイプ２は、抱持された状態でしっかりと抱持体４２に連結されることになる。
【００２８】
図２及び図３において、符号７はレールパイプ２に沿って収容器３を移動させるための収容器吊下具７を示している。収容器吊下具７は、フレーム７０の上端を門型に形成してレールパイプ２を転動するローラ７１を軸架する一方、このフレーム７０の下端にフック部７２を形成し、このフック部７２に下端を収容器３に連結した紐体３１の上端を連結している。また、ローラ７１は、レールパイプ２から脱落し難いように、周面をレールパイプ２の曲率に応じて凹状に湾曲形成している。なお、図３中、符号７３はローラ７１の回動軸を示している。
【００２９】
なお、ローラ７１と当接するレールパイプ２は、その周面が抱持体４２のパイプ挿通部４２ａから突出状態に露出しているため、ローラ７１は抱持体４２とは直接摺接することがなく、収容器吊下具７の移動動作に支障を来すことがない。
【００３０】
こうして、例えば既設のビニルハウス１のアーチパイプ１１にクランプ材５を介してレールパイプ２を簡単に配設することが可能となる。しかも、レールパイプ２の配設数や配設位置についても、任意に設定することができる。
【００３１】
また、吊具本体４１を略コ字状に形成し、その下部先端に抱持体４２を連結しているため、この抱持体４２に嵌合されたレールパイプ２上を収容器吊下具７が転動して移動する際に、当該収容器吊下具７と吊具本体４１とが干渉することはない。
【００３２】
上述してきたハウス内搬送装置Ａによれば、図４及び図５に示すように、天井部の所望する位置からレールパイプ吊具４の高さ（長さ）分だけ離隔させてレールパイプ２を吊下することができ、このレールパイプ２に、収容器吊下具７を介して収容器３を移動自在に取付けることで、ビニルハウス１の棟方向に収容器３を任意に移動することができる。したがって、例えば収穫物や肥料などを収容器３に入れて棟方向に移動させることが容易に行える。
【００３３】
なお、収容器３の形状や大きさなどは必要に応じて適宜変更することができるし、用途に応じて適切な収容器３と付け替えることもできる。
【００３４】
また、レールパイプ吊具４の変形例として、図６に示すような構成とすることができる。なお、図６において、図３で示したレールパイプ吊具４と同一の構成要素については同一の符号を付して説明は省略する。
【００３５】
図示するように、この変形例に係る吊具本体４１は、２つの曲げ部のうち、下側の曲げ部は略直角のままであるが、上側の曲げ部を鈍角にして上側斜伸延部４１ａと下側Ｌ字部４１ｂとを有する形状としている。このように、上側斜伸延部４１ａを設けることで、例えば、天井部においても側壁側に近接した位置にレールパイプ２を架設しようとした場合でも、吊具本体４１の姿勢を図３で示した向きと逆向きに（ビニルハウス１の側壁側が凸状となるように）すれば、アーチパイプ１１と干渉することがない上に、レールパイプ２を抱持体４２に保持させる取付作業を、吊具本体４１自体が邪魔にならない位置から円滑に行うことができる。
【００３６】
また、抱持体４２の構成についても、例えばレールパイプ２として使用するパイプ材の管径よりも十分に大きなパイプを用いるとともに、連結ボルト６の長さによってレールパイプ２の支持高さを変更可能としている。つまり、上げ底の上げ代調整を連結ボルト６で行うようにしており、レールパイプ２の管径拘わらず、当該レールパイプ２の周面をパイプ挿通部４２ａから露出させることができる。
【００３７】
また、ハウス内搬送装置Ａの他の実施形態として、図７に示すような梁材１３を備えたビニルハウス１に適用することもできる。なお、以下の説明でも上述してきた実施形態と同一の構成要素については同一の符号を付して説明は省略する。
【００３８】
すなわち、梁材１３を予め備えたビニルハウス１であっても、梁材１３を後付けしたビニルハウス１であっても、本実施形態に係る吊具本体４１を用いることで、レールパイプ２を簡単に配設することができ、ハウス内搬送装置Ａを設置することが容易となる。
【００３９】
また、梁材１３の形状が例えば丸形ではなく角形であったりする場合もあるが、その場合は、適宜その形状に見合ったクランプ材５を用いればよいだけである。なお、図７では、複数のアーチパイプ１１を横パイプ１２で連接して構成した骨組構造体を内と外とで二重に配設して強固な構成としたものを例示しているが、上述してきた通常の１重の骨組構造体からなるものであってもよいことは当然である。
【００４０】
上述してきた実施形態より、以下に示すような効果を奏するレールパイプ吊具４が実現できる。
【００４１】
すなわち、ビニルハウス１の天井部から吊下されたレールパイプ２と、このレールパイプ２に沿って移動自在に吊下された収容器３とを具備し、作物などの被搬送物を収容器３に載せて搬送するハウス内搬送装置Ａに用いられるレールパイプ吊具４であって、少なくとも１つの曲げ部を有する折り返し形状に形成された吊具本体４１と、この吊具本体４１の下部先端に取付けられ、レールパイプ２を抱持可能とした抱持体４２とを備えている。
【００４２】
かかる構成によれば、ビニルハウス１内において、レールパイプ２の配設が容易となるため、簡単かつ低コストでハウス内搬送装置Ａを構築することができる。その結果、ビニルハウス１内の作業負荷の軽減化を図ることができるとともに、作物の生産効率を高めることが可能となる。
【００４３】
吊具本体４１は、抱持体４２を連結するために前記下部先端に平板状に形成された水平面部４３と、ビニルハウス１を構築するアーチパイプ１１に取付けるクランプ材５を連結するために、上部先端に平板状に形成された垂直面部４４とを有するレールパイプ吊具４。
【００４４】
かかる構成によれば、取扱が容易な簡単な構成で、ビニルハウス１のアーチパイプ１１などとの連結が容易に行え、上記効果をより高めることができる。
【００４５】
前記抱持体４２は、レールパイプ２の周面の一部を上方に露出した状態で抱持可能とした断面視湾曲形状に形成されているレールパイプ吊具４。
【００４６】
かかる構成により、レールパイプ２は、その周面が抱持体４２のパイプ挿通部４２ａから突出状態に露出しているため、収容器吊下具７に設けられたローラ７１はレールパイプ２に直接当接することになり、ローラ７１が抱持体４２と直接摺接することがないので、収容器吊下具７の移動動作に支障を来すことがなくなる。
【符号の説明】
【００４７】
Ａ    ハウス内搬送装置
１    ビニルハウス
２    レールパイプ
３    収容器
４    レールパイプ吊具
５    クランプ材
１１    アーチパイプ
１２    横パイプ
４１    吊具本体
４２    抱持体
４２ａ    パイプ挿通部
４３    水平面部
４４    垂直面部
【図１】
0003163113.tif 000003
【図２】
0003163113.tif 000004
【図３】
0003163113.tif 000005
【図４】
0003163113.tif 000006
【図５】
0003163113.tif 000007
【図６】
0003163113.tif 000008
【図７】
0003163113.tif 000009